(57)【特許請求の範囲】
【請求項１】
一対の側板の間に棚板および背板を組み付けた構造のプラスチック製組立構造体であって、
棚板および背板は、棚板の後端部に背板を薄肉のヒンジを介して一体に連結してあるとともに、ヒンジを一方にのみ折り曲げ規制して棚板に対して背板を展開状態に、かつヒンジを上方に直角に折り曲げて棚板に対して背板を上方に直角となる状態にそれぞれ保持する構成とし、
一対の側板間に棚板を背板を展開状態に保持して背面側から差し込んで組み付け、次いでヒンジを上方に直角に折り曲げて背板を棚板に対して上方に直角となる状態に保持して一対の側板間に組み付けて構成する
ことを特徴とするプラスチック製組立構造体。
【請求項２】
棚板の両端および背板の両端にそれぞれ支軸を設け、一対の側板の棚板および背板の上記支軸が対応する部位に凹部を形成して、一対の側板に対する棚板および背板の組み付け構造としたことを特徴とする請求項１記載のプラスチック製組立構造体。
【請求項３】
棚板および背板の両端に設ける支軸は、少なくとも棚板または背板のヒンジ側の部位と、棚板および背板のそれぞれヒンジ側と反対側の部位に設け、一対の側板には上記支軸に対応する凹部を形成したことを特徴とする請求項２記載のプラスチック製組立構造体。
【請求項４】
棚板または背板のヒンジ側には、棚板に対してヒンジを一方にのみ折り曲げ規制する突部を形成したことを特徴とする請求項１、２または３記載のプラスチック製組立構造体。
【請求項５】
棚板および背板は、中空二重壁構造であることを特徴とする請求項１、２、３または４記載のプラスチック製組立構造体。
【発明の詳細な説明】
【０００１】
【発明の属する技術分野】
本発明は、キャビネット、収納家具、机などであって、一対の側板の間に棚板および背板を組み付けた構造のプラスチック製組立構造体に関するものである。
【０００２】
【従来の技術】
従来、プラスチック製のキャビネットにあっては、天板、底板、左側板、右側板、背板、および棚板などの部材により構成され、その各部材を組付けることによりキャビネットが構成される。
【０００３】
【発明が解決しようとする課題】
従来この種のキャビネットにあっては、各部材はそれぞれ別体で構成されており、キャビネットを構成するための部品点数が甚だ多いものとなっており、成形工数さらにはキャビネットの組立てが複雑なものとなっていた。
【０００４】
このため、複数の部材を一体に形成し、部品点数を減らすことが考えられるが、例えばキャビネットを構成する棚板および背板を一体に形成する場合には、その組立て形状がほぼ垂直方向に固定されるものであるため、棚板と背板を一体形状に形成した部材は非常に嵩張るものとなってしまう。さらにはこのような垂直方向に配置されたパネル状の部材をブロー成形等の成形方法により、一体に形成した場合にはその形状によりその部材の肉厚を均等に形成するのが困難であり、成形性が低下するなどの問題点がある。
【０００５】
そこで、本発明は、棚板に背板を薄肉のヒンジを介して一体に連結し、一対の側板間に棚板を背板を展開状態に保持して背面側から差し込んで組み付け、かつヒンジを上方に直角に折り曲げて背板を棚板に対して背板を上方に直角となる状態に保持して一対の側板間に組み付けて構成することにより、一対の側板と天板とで外装体を構成しても、その外装体は前面と後面の両面が開放していて背板を展開状態に保持しているので、それに棚板を背面側から差し込んで棚板の組み付けが容易にでき、しかも棚板の組み付け後にはヒンジを上方に直角に折り曲げて棚板に対して背板を上方に直角となる状態に保持したうえ一対の側板間に組み付けるので、棚板の組み付け後に背板の組み付けも容易にできるプラスチック製組立構造体を提供することを目的とするものである。
【０００６】
【課題を解決するための手段】
上記目的を達成するための本発明の請求項１に係るプラスチック製組立構造体は、一対の側板の間に棚板および背板を組み付けた構造のプラスチック製組立構造体であって、 棚板および背板は、棚板の後端部に背板を薄肉のヒンジを介して一体に連結してあるとともに、ヒンジを一方にのみ折り曲げ規制して棚板に対して背板を展開状態に、かつヒンジを上方に直角に折り曲げて棚板に対して背板を上方に直角となる状態にそれぞれ保持する構成とし、一対の側板間に棚板を背板を展開状態に保持して背面側から差し込んで組み付け、次いでヒンジを上方に直角に折り曲げて背板を棚板に対して上方に直角となる状態に保持して一対の側板間に組み付けて構成することを特徴とするものである。
【０００７】
また、本発明の請求項２に係るプラスチック製組立構造体は、請求項１記載のものにおいて、棚板の両端および背板の両端にそれぞれ支軸を設け、一対の側板の棚板および背板の上記支軸が対応する部位に凹部を形成して、一対の側板に対する棚板および背板の組み付け構造としたことを特徴とするものである。
【０００８】
本発明の請求項３に係るプラスチック製組立構造体は、請求項２記載のものにおいて、棚板および背板の両端に設ける支軸は、少なくとも棚板または背板のヒンジ側の部位と、棚板および背板のそれぞれヒンジ側と反対側の部位に設け、一対の側板には上記支軸に対応する凹部を形成したことを特徴とするものである。
【０００９】
本発明の請求項４に係るプラスチック製組立構造体は、請求項１、２または３記載のものにおいて、棚板または背板のヒンジ側には、棚板に対してヒンジを一方にのみ折り曲げ規制する突部を形成したことを特徴とするものである。
【００１０】
本発明の請求項５に係るプラスチック製組立構造体は、請求項１、２、３または４記載のものにおいて、棚板および背板は、中空二重壁構造であることを特徴とするものである。
【００１１】
【発明の実施の形態】
図１は本発明の一実施の形態に係るプラスチック製組立構造体を例示する棚付きボックスの斜視図、図２は同上分解斜視図、図３は図１のＡ−Ａ線断面図、図４は棚板および背板の展開状態を示す裏面図、図５は棚板および背板の組み付け状態を示す断面図、図６は棚板および背板のヒンジによる連結部分の詳細構成を示す部分側面図、図７は棚板および背板のブロー成形態様を示す断面図である。なお、図８は他の形態に係るプラスチック製組立構造体を例示する棚付きボックスの斜視図、図９は同上断面図、図１０は棚板および背板のヒンジによる連結部分の詳細構成を示す部分側面図である。
【００１２】
図１ないし図６において、１は棚付きボックスである。この棚付きボックス１の外装体２は、一対の側板３，３、天板４によって前面、背面および下面が開放した態様をなしている。そして、外装体２には、上下２枚の棚板５，５が組み付けられており、棚板５，５と後述する薄肉のヒンジで一体に連結された背板６，６により背面が閉じた棚付きボックスが構成されている。一対の側板３，３、天板４、棚板５，５および背板６，６は中空二重壁構造のプラスチック製である。
【００１３】
上下の２枚の棚板５，５は同構成であり、この棚板５の後端部には背板６が薄肉のヒンジ７を介して一体に連結しており、図示の実施の形態においては、棚板５に対してヒンジ７を一方にのみ折り曲げ規制する突部８が形成されている。
【００１４】
棚板５の両端および背板６の両端には、それぞれ支軸９が設けられており、一対の側板３，３の棚板５および背板６の上記支軸９が対応する部位に凹部１０を形成してあり、一対の側板３，３に対する棚板５および背板６の組み付け構造としている。棚板５および背板６の両端に設ける支軸９は、少なくとも棚板５または背板６のヒンジ側の部位と、棚板５および背板６のそれぞれヒンジ側と反対側の部位に設けるが、図示の実施の形態では、棚板５の両端のヒンジ側と反対側の部位と、背板６の両端のヒンジ側の部位およびヒンジ側と反対側の部位に設けており、一対の側板３，３の凹部１０もそれに対応するように形成されている。中空二重壁構造の棚板５には、その裏面側から補強のための凹リブ１１が形成されている。
【００１５】
棚板５と、それに薄肉のヒンジ７で一体に連結された背板６は、図７に示すようにブロー成形されるが、薄肉のヒンジ７は金型１２，１２のヒンジ形成部で圧縮して形成される。
【００１６】
一対の側板３，３と天板４により構成された外装体２に、上下２枚の棚板５，５および背板６を組み付けるには、棚板５に対して背板６を展開状態に保持して、外装体２の背面側から棚板５を差し込み、そのヒンジ側と反対側の部位の支軸９を一対の側板３，３の対応する凹部１０に嵌合したうえ、次いで背板６をヒンジ７を上方に直角に折り曲げて棚板５に対して上方に直角となる状態に保持して背板６のヒンジ側の支軸９を一対の側壁３，３の対応する凹部１０に嵌合し、そのヒンジ側と反対側の部位の支軸９を一対の側壁３，３の対応する凹部に嵌合して、その組立を完了する。棚板５にはそのヒンジ側に、棚板５に対してヒンジ７を一方にのみ折り曲げ規制する突部８が形成されているので、棚板５に対して背板６を反対に曲げることが規制され、組付けを誤るおそれはない。
【００１７】
図８ないし図１０に示す形態においては、棚板５と背板６を合わせた前後幅が外装体２の前後幅と同じに構成されている。このため、例えば、図８におよび図９に示すように、最上段の棚板５を除いて他の棚板５を背板６を同一平面をなすようにして奥行を広く形成し、最上段の棚板５を違い棚状に奥行を狭くし、かつそれに背板６を立上がり状に形成するなど、種々形態変化に富んだ棚付きボックス１を構成することができる。なお、この実施の形態に係る棚付きボックス１にあっては、外装体２を一対の側壁３，３、天板４のほか底板１３によって構成している。
【００１８】
【発明の効果】
本発明よれば、棚板に背板を薄肉のヒンジを介して一体に連結し、一対の側板間に棚板を背板を展開状態に保持して背面側から差し込んで組み付け、かつヒンジを上方に直角に折り曲げて背板を棚板に対して背板を上方に直角となる状態に保持して一対の側板間に組み付けて構成することにより、一対の側板と天板とで外装体を構成しても、その外装体は前面と後面の両面が開放していて背板を展開状態に保持しているので、それに棚板を背面側から差し込んで棚板の組み付けが容易にでき、しかも棚板の組み付け後にはヒンジを上方に直角に折り曲げて棚板に対して背板を上方に直角となる状態に保持したうえ一対の側板間に組み付けるので、棚板の組み付け後に背板の組み付けも容易にできるプラスチック製組立構造体が得られるものである。
【図面の簡単な説明】
【図１】  本発明の一実施の形態に係るプラスチック製組立構造体を例示する棚付きボックスの斜視図である。
【図２】  同上分解斜視図である。
【図３】  図１のＡ−Ａ線断面図である。
【図４】  棚板および背板の展開状態を示す裏面図である。
【図５】  棚板および背板の組み付け状態を示す断面図である。
【図６】  棚板および背板のヒンジによる連結部分の詳細構成を示す部分側面図である。
【図７】  棚板および背板のブロー成形態様を示す断面図である。
【図８】  他の形態に係るプラスチック製組立構造体を例示する棚付きボックスの斜視図である。
【図９】  同上断面図である。
【図１０】  棚板および背板のヒンジによる連結部分の詳細構成を示す部分側面図である。
【符号の説明】
１  棚付きボックス
２  外装体
３，３  一対の側板
４  天板
５  棚板
６  背板
７  ヒンジ
８  突部
９  支軸
１０  凹部
１１  凹リブ
１２，１２  金型
１３  底板
【図１】
0004822618.tif 000002
【図２】
0004822618.tif 000003
【図３】
0004822618.tif 000004
【図４】
0004822618.tif 000005
【図５】
0004822618.tif 000006
【図６】
0004822618.tif 000007
【図７】
0004822618.tif 000008
【図８】
0004822618.tif 000009
【図９】
0004822618.tif 000010
【図１０】
0004822618.tif 000011